(57)【要約】【課題】  被挾持体を挾持する挾持力を変更するために構成部品を金型から新規に作製しない挾持装置、及び挾持力の強弱に起因する不具合を防止する挾持装置の提供。【解決手段】  一方の挾持部材２に磁性体４が設けられ、他方の挾持部材５に磁性体４に磁着される被磁着体６が設けられ、挾持部材２,５間で被挾持体３を挾持する挾持装置において、被磁着体６は、磁性体４と対向する部分に凸部６０又は凹部を備えるようにした。また磁性体４及び被磁着体６間の磁着力の強さを変更する変更手段を備えるようにした。また変更手段は、一方の挾持部材２に対して磁性体４を接離する接離部、又は他方の挾持部材５に対して被磁着体６を接離する接離部を備えるようにした。また接離部は、一方の挾持部材２又は他方の挾持部材５に設けられたねじ部と、磁性体４又は被磁着体６に設けられ、ねじ部に螺合した螺合部とを備えるようにした。【選択図】        図１
2005093006.tif 000002
【特許請求の範囲】
【請求項１】
２つの挾持部材の一方に磁性体が設けられ、他方に前記磁性体に磁着される被磁着体が設けられ、挾持部材間で被挾持体を挾持する挾持装置において、
前記被磁着体は、前記磁性体と対向する部分に凸部又は凹部を備えることを特徴とする挾持装置。
【請求項２】
２つの挾持部材の一方に磁性体が設けられ、他方に前記磁性体に磁着される被磁着体が設けられ、挾持部材間で被挾持体を挾持する挾持装置において、
前記磁性体及び被磁着体間の磁着力の強さを変更する変更手段を備えることを特徴とする挾持装置。
【請求項３】
前記変更手段は、前記一方の挾持部材に対して前記磁性体を接離することが可能な接離部を備えることを特徴とする請求項２に記載の挾持装置。
【請求項４】
前記変更手段は、前記他方の挾持部材に対して前記被磁着体を接離することが可能な接離部を備えることを特徴とする請求項２又は３に記載の挾持装置。
【請求項５】
前記接離部は、前記一方の挾持部材又は他方の挾持部材に設けられたねじ部と、前記磁性体又は被磁着体に設けられ、前記ねじ部に螺合した螺合部とを備えることを特徴とする請求項３又は４に記載の挾持装置。
【請求項６】
前記被磁着体は、前記磁性体と対向する部分に凸部又は凹部を備えることを特徴とする請求項２乃至５の何れか一つに記載の挾持装置。
【発明の詳細な説明】
【技術分野】
【０００１】
本発明は、磁性体が設けられた挾持部材と、磁性体に磁着される被磁着体が設けられた挾持部材との間に被挾持体を挾持する挾持装置に関する。
【背景技術】
【０００２】
円盤状をなす記録媒体、例えば、Compact Disc（以下、ＣＤという）又はDigital Versatile Disc（以下、ＤＶＤという）を使用する記録再生機器は、該記録再生機器が備えるスピンドルモータの回転軸に固着されたターンテーブルに前記記録媒体を固定するための挾持装置を従来から備えている（例えば、特許文献１参照。）。
【０００３】
図５は、従来の記録再生機器が備える挾持装置の構成を説明する説明図である。
【０００４】
図において１はスピンドルモータであり、スピンドルモータ１の回転軸の先端部は、円盤状をなすターンテーブル２の一面の中央部に固着され、該固着によりターンテーブル２は、スピンドルモータ１の回転に連動して回転するように構成されている。ターンテーブル２の他面の中央部には、短円柱状をなす嵌合凸部２０が設けられ、嵌合凸部２０の外径は、ＣＤ又はＤＶＤ等の円盤状をなす記録媒体３の中央部に形成された略円形をなす嵌合孔３０の内径に対応している。また嵌合凸部２０の端面の中央部には、磁性体４が埋設されており、磁性体４は、中央部に貫通孔が形成された円盤状をなしている。
【０００５】
ターンテーブル２の他面側には、所定の厚みを有するように形成された円盤状をなすクランパ５がターンテーブル２と略平行になるように設けられ、クランパ５のターンテーブル２側となる一面の中央部には、嵌合凸部２０に対応した嵌合凹部５０が形成されている。クランパ５の他面には、ヨークと呼ばれる被磁着体６が固定されており、被磁着体６は、中央部に貫通孔が形成された略円形をなす鉄板である。
【０００６】
このような構成により、記録媒体３の嵌合孔３０内にターンテーブル２の嵌合凸部２０を導入するようにして記録媒体３の一面をターンテーブル２の他面に当接し、ターンテーブル２の嵌合凸部２０とクランパ５の嵌合凹部５０とを嵌め合わせるようにしてクランパ５の一面を記録媒体３の他面に当接すれば、磁性体４の磁力により被磁着体６が磁着され、挾持部材であるターンテーブル２及びクランパ５の間に被挾持体である記録媒体３が挾持される。該挾持により記録媒体３は、スピンドルモータ１の回転に連動して回転する。
【０００７】
なお、記録媒体３を挾持する挾持力は、磁性体４が被磁着体６を磁着する磁着力に対応しており、該磁着力は、磁性体４及び被磁着体６間の距離の２乗に反比例する。また、磁性体４の被磁着体６側の面、及び被磁着体６の磁性体４側の面は、平面とされており、磁性体４の被磁着体６側の面、及び被磁着体６の磁性体４側の面間の距離が、磁性体４及び被磁着体６間の最短距離である。
【特許文献１】特開平８−３３９５９７号公報
【発明の開示】
【発明が解決しようとする課題】
【０００８】
しかしながら、従来の記録再生機器が備える挾持装置は、スピンドルモータ１の回転速度を変更する等の仕様変更を行う場合に、記録媒体３を挾持する挾持力の変更が必要になったとき、磁性体４及び被磁着体６間の距離を変更するためにターンテーブル２又はクランパ５等の構成部品を金型から新規に作製しなければならず、大幅なコストの上昇を招来するという問題があった。
【０００９】
また、ターンテーブル２、磁性体４、クランパ５及び被磁着体６等の構成部品の製造ばらつきにより磁性体４及び被磁着体６間の距離が変動するが、該変動により、磁性体４が被磁着体６を磁着する磁着力、換言すれば、記録媒体３を挾持する挾持力が変動する。該挾持力が強くなる方に変動した場合には、挾持力が強すぎるために、ターンテーブル２及びクランパ５の間に挾持された記録媒体３が変形し、記録再生信号の品質が劣化するという問題があり、記録媒体３を挾持する挾持力が弱くなる方に変動した場合には、挾持力が弱すぎるために、スピンドルモータ１の回転始動時又は回転停止時の加速度によりターンテーブル２と記録媒体３との間に滑りが発生し、スピンドルモータ１のサーボ乱れが発生するという問題があった。
【００１０】
このような問題は、ＣＤ又はＤＶＤ等の円盤状をなす記録媒体を使用する記録再生機器に備えられる挾持装置に限られる問題ではなく、磁性体が設けられた挾持部材と、磁性体に磁着される被磁着体が設けられた挾持部材との間に被挾持体を挾持する挾持装置であれば発生しうる。
【００１１】
本発明は斯かる事情に鑑みてなされたものであり、磁性体及び被磁着体間の距離を変更できる部分を備える構成とすることにより、被挾持体を挾持する挾持力を変更するために構成部品を金型から新規に作製する必要がなく、大幅なコストの上昇を招来しない挾持装置を提供することを目的とする。
【００１２】
また本発明は、磁性体又は被磁着体の組付位置を変更して磁性体及び被磁着体間の距離を変更できる構成とすることにより、被挾持体を挾持する挾持力を最適にすることができ、挾持力が強すぎる又は弱すぎることに起因する不具合を防止できる挾持装置を提供することを目的とする。
【課題を解決するための手段】
【００１３】
本発明に係る挾持装置は、２つの挾持部材の一方に磁性体が設けられ、他方に前記磁性体に磁着される被磁着体が設けられ、挾持部材間で被挾持体を挾持する挾持装置において、前記被磁着体は、前記磁性体と対向する部分に凸部又は凹部を備えることを特徴とする。
【００１４】
本発明においては、磁性体の磁力により被磁着体を磁着する磁着力が発生し、該磁着力により、挾持部材間で被挾持体を挾持する挾持力が発生する。被磁着体は、磁性体と対向する部分に凸部又は凹部を備えるから、凸部の突出高さ又は凹部の深さを変更することにより、磁性体及び被磁着体間の距離が変更され、磁性体が被磁着体を磁着する磁着力、換言すれば、被挾持体を挾持する挾持力が変更される。凸部の突出高さ又は凹部の深さを変更するだけで挾持力を変更することができるから、挾持部材等の構成部品を金型から新規に作製する必要がない。
【００１５】
本発明に係る挾持装置は、２つの挾持部材の一方に磁性体が設けられ、他方に前記磁性体に磁着される被磁着体が設けられ、挾持部材間で被挾持体を挾持する挾持装置において、前記磁性体及び被磁着体間の磁着力の強さを変更する変更手段を備えることを特徴とする。
【００１６】
本発明に係る挾持装置においては、前記変更手段は、前記一方の挾持部材に対して前記磁性体を接離することが可能な接離部を備えることを特徴とする。
【００１７】
本発明に係る挾持装置においては、前記変更手段は、前記他方の挾持部材に対して前記被磁着体を接離することが可能な接離部を備えることを特徴とする。
【００１８】
本発明に係る挾持装置においては、前記接離部は、前記一方の挾持部材又は他方の挾持部材に設けられたねじ部と、前記磁性体又は被磁着体に設けられ、前記ねじ部に螺合した螺合部とを備えることを特徴とする。
【００１９】
本発明に係る挾持装置においては、前記被磁着体は、前記磁性体と対向する部分に凸部又は凹部を備えることを特徴とする。
【００２０】
これらの発明においては、一方の挾持部材に対して磁性体を接離すること、又は他方の挾持部材に対して被磁着体を接離することにより、磁性体及び被磁着体間の距離が変更され、磁性体が被磁着体を磁着する磁着力、換言すれば、被挾持体を挾持する挾持力が変更される。一方の挾持部材に対して磁性体を接離、又は他方の挾持部材に対して被磁着体を接離すれば、挾持力を最適にすることができる。
【発明の効果】
【００２１】
本発明に係る挾持装置においては、被磁着体は、磁性体と対向する部分に凸部又は凹部を備えるから、凸部の突出高さ又は凹部の深さを変更することにより磁性体及び被磁着体間の距離を変更できる。磁性体及び被磁着体間の距離が変更されれば、被挾持体を挾持する挾持力が変更されるから、凸部の突出高さ又は凹部の深さを変更することにより挾持部材等の構成部品を金型から新規に作製することなく挾持力を変更でき、大幅なコストの上昇が防止できる。
【００２２】
また、本発明に係る挾持装置においては、磁性体及び被磁着体間の磁着力の強さを変更する変更手段を備え、該変更手段の一つとして、一方の挾持部材に対して磁性体を接離すること、又は他方の挾持部材に対して被磁着体を接離することにより磁性体及び被磁着体間の距離を変更し、被挾持体を挾持する挾持力を変更できるようにしたから、一方の挾持部材に対して磁性体を接離、又は他方の挾持部材に対して被磁着体を接離すれば、挾持力を最適にすることができ、挾持力が強すぎる又は弱すぎることに起因する不具合を防止できる。
【発明を実施するための最良の形態】
【００２３】
以下、本発明をその実施の形態を示す図面に基づいて詳述する。本発明に係る挾持装置は、例えば、ＣＤ又はＤＶＤ等の円盤状をなす記録媒体を使用する記録再生機器に備えられる。
【００２４】
実施の形態１
図１は本発明に係る挾持装置の実施の形態１の構成を説明する説明図である。
【００２５】
図１において１はスピンドルモータであり、スピンドルモータ１の回転軸の先端部は、円盤状をなすターンテーブル２の一面の中央部に固着され、該固着によりターンテーブル２は、スピンドルモータ１の回転に連動して回転するように構成されている。ターンテーブル２の他面の中央部には、短円柱状をなす嵌合凸部２０が設けられ、嵌合凸部２０の外径は、ＣＤ又はＤＶＤ等の円盤状をなす記録媒体３の中央部に形成された略円形をなす嵌合孔３０の内径に対応している。また嵌合凸部２０の端面の中央部には、位置決め孔２１が形成され、位置決め孔２１の周囲には、環状をなす取付凹部２２が形成されている。取付凹部２２には、取付凹部２２の内側の周面に対応した貫通孔４１を有する板状の磁性体４が取付けられて固定されている。
【００２６】
ターンテーブル２の他面側には、所定の厚みを有するように形成された円盤状をなすクランパ５がターンテーブル２と略平行になるように設けられている。クランパ５のターンテーブル２側となる一面の中央部には、嵌合凸部２０に対応した嵌合凹部５０が形成され、嵌合凹部５０の底面の中央部には、位置決め孔２１に嵌合する位置決め突起５１が設けられている。クランパ５の他面の中央部には、嵌合凸部２０の直径より大きい所定の直径とされた略円形をなす取付凹部５２が形成され、取付凹部５２の底面の中央部には、円柱状をなす位置決めピン５５が凸設されている。取付凹部５２には、ヨークと呼ばれる被磁着体６が取付けられている。
【００２７】
被磁着体６は、プレス加工にて作製された円盤状をなす鉄板であり、中央部に位置決めピン５５に対応した貫通孔６２が形成されている。被磁着体６の磁性体４側となる一面には、磁性体４に対向する部分に、略円形をなす４つの凸部６０,６０,・・・（図１には、２つの凸部６０,６０を図示）が周方向に等配して設けられ、凸部６０,６０,・・・は、ハーフパンチと呼ばれるプレス加工により形成されたものである。クランパ５の取付凹部５２の底面には、凸部６０,６０,・・・に対応した孔が設けられ、該孔に凸部６０,６０,・・・が嵌め合わされている。また、位置決めピン５５は、貫通孔６２に嵌め合わされ、被磁着体６の一面と取付凹部５２の底面とは当接している。被磁着体６は、取付凹部５２の開口部の周縁に、周方向に等配して設けられた４つの掛止部５３,５３,・・・（図１には、２つの掛止部５３,５３を図示）により取付凹部５２内に固定されている。
【００２８】
被磁着体６を作製するプレス加工の金型は、凸部６０,６０,・・・を形成する部分が凸部６０,６０,・・・の突出高さＹを調整できるように構成されており、金型を新規に作製することなく、凸部６０,６０,・・・の突出高さＹが異なる被磁着体を作製できるようにしてある。
【００２９】
このような構成により、記録媒体３の嵌合孔３０内にターンテーブル２の嵌合凸部２０を導入するようにして記録媒体３の一面をターンテーブル２の他面に当接し、ターンテーブル２の嵌合凸部２０とクランパ５の嵌合凹部５０とを嵌め合わせるようにしてクランパ５の一面を記録媒体３の他面に当接すれば、磁性体４の磁力により被磁着体６が磁着され、挾持部材であるターンテーブル２及びクランパ５の間に被挾持体である記録媒体３が挾持される。該挾持により記録媒体３は、スピンドルモータ１の回転に連動して回転する。
【００３０】
被磁着体６を作製する金型を調整して凸部６０,６０,・・・の突出高さＹを低くすれば、取付凹部５２内に固定された被磁着体６の一面が取付凹部５２の底面に当接していることから、磁性体４及び凸部６０,６０,・・・の先端間、換言すれば、磁性体４及び被磁着体６間の距離が長くなる。磁性体４が被磁着体６を磁着する磁着力は、磁性体４及び被磁着体６間の距離の２乗に反比例するから、磁性体４及び被磁着体６間の距離が長くなれば、磁性体４が被磁着体６を磁着する磁着力が弱くなり、記録媒体３を挾持する挾持力も弱くなる。
被磁着体６を作製する金型を調整して凸部６０,６０,・・・の突出高さＹを高くすれば、磁性体４及び凸部６０,６０,・・・の先端間、換言すれば、磁性体４及び被磁着体６間の距離が短くなる。該距離が短くなれば、磁性体４が被磁着体６を磁着する磁着力が強くなり、記録媒体３を挾持する挾持力も強くなる。
【００３１】
実施の形態１に示した本発明に係る挾持装置は、被磁着体６の磁性体４に対向する部分に凸部６０,６０,・・・を備え、凸部６０,６０,・・・の突出高さＹを変更することにより磁性体４及び被磁着体６間の距離を変更するようにし、凸部６０,６０,・・・の突出高さＹを変更するために、被磁着体６を作製する金型の凸部６０,６０,・・・の部分を調整できるように構成したから、ターンテーブル２、クランパ５、磁性体４及び被磁着体６等の構成部品を金型から新規に作製することなく磁性体４及び被磁着体６間の距離を変更して記録媒体３を挾持する挾持力を変更できる。従って、挾持力の変更が必要になる仕様変更を行う場合でも、構成部品を金型から新規に作製することがないから、大幅なコストの上昇を招来しない。
【００３２】
実施の形態２
図２は本発明に係る挾持装置の実施の形態２の構成を説明する説明図である。
【００３３】
図２において６Ａは被磁着体であり、被磁着体６Ａは、プレス加工にて作製された円盤状をなす鉄板である。被磁着体６Ａの磁性体４側となる一面には、磁性体４と対向する部分に、環状をなす凹部６０Ａが略同心に形成され、凹部６０Ａは、ハーフパンチと呼ばれるプレス加工により形成されたものである。
【００３４】
被磁着体６Ａを作製するプレス加工の金型は、凹部６０Ａを形成する部分が凹部６０Ａの深さＺを調整できるように構成されており、金型を新規に作製することなく、凹部６０Ａの深さＺが異なる被磁着体を作製できるようにしてある。
【００３５】
このような構成により、被磁着体６Ａを作製する金型を調整して凹部６０Ａの深さＺを深くすれば、磁性体４及び凹部６０Ａの底面間、換言すれば、磁性体４及び被磁着体６Ａ間の距離が長くなるから、磁性体４が被磁着体６Ａを磁着する磁着力が弱くなり、記録媒体３を挾持する挾持力も弱くなる。
被磁着体６Ａを作製する金型を調整して凹部６０Ａの深さＺを浅くすれば、磁性体４及び凹部６０Ａの底面間、換言すれば、磁性体４及び被磁着体６Ａ間の距離が短くなるから、磁性体４が被磁着体６Ａを磁着する磁着力が強くなり、記録媒体３を挾持する挾持力も強くなる。
【００３６】
実施の形態２に示した本発明に係る挾持装置は、被磁着体６Ａの磁性体４に対向する部分に凹部６０Ａを備え、凹部６０Ａの深さＺを変更することにより磁性体４及び被磁着体６Ａ間の距離を変更するようにし、凹部６０Ａの深さＺを変更するために、被磁着体６Ａを作製する金型の凹部６０Ａの部分を調整できるように構成したから、ターンテーブル２、クランパ５、磁性体４及び被磁着体６Ａ等の構成部品を金型から新規に作製することなく磁性体４及び被磁着体６Ａ間の距離を変更して記録媒体３を挾持する挾持力を変更できる。従って、挾持力の変更が必要になる仕様変更を行う場合でも、構成部品を金型から新規に作製することがないから、大幅なコストの上昇を招来しない。
【００３７】
その他の構成及び作用は、前述した実施の形態１と同様であるため、同様の構成については同じ参照符号を付し、その構成の詳細な説明及び作用の説明を省略する。
【００３８】
実施の形態３
図３は本発明に係る挾持装置の実施の形態３の構成を説明する説明図である。
【００３９】
図３において２Ａはターンテーブルであり、ターンテーブル２Ａの嵌合凸部２０に形成された環状をなす取付凹部２２の内側の周面には、雄ねじ部（ねじ部）２３が設けられている。また、取付凹部２２に取付けられた磁性体４Ａの貫通孔４１の周面には、雄ねじ部２３に螺合した雌ねじ部（螺合部）４０が設けられている。雄ねじ部２３と雌ねじ部４０との螺合位置を変更することにより、ターンテーブル２Ａに対して磁性体４Ａを接離することが可能なように構成されており、雄ねじ部２３及び雌ねじ部４０が、ターンテーブル２Ａに対して磁性体４Ａを接離することが可能な接離部７となる。なお、雄ねじ部２３と雌ねじ部４０との螺合には、所定の締め代が設けられ、スピンドルモータ１の回転始動時又は回転停止時の加速度によりターンテーブル２Ａと磁性体４Ａとが相対回転しないように構成されている。
また、被磁着体６Ｂは凸部６０,６０,・・・を備えず、被磁着体６Ｂの磁性体４Ａ側となる一面は平面とされている。
【００４０】
このような構成により、磁性体４Ａとターンテーブル２Ａとを相対回転させて雄ねじ部２３と雌ねじ部４０との螺合位置を変更すれば、磁性体４Ａがターンテーブル２Ａに対して接離し、磁性体４Ａ及び被磁着体６Ｂ間の距離が変更される。磁性体４Ａ及び被磁着体６Ｂ間の距離が長くなる方に変更されれば、磁性体４Ａが被磁着体６Ｂを磁着する磁着力が弱くなり、記録媒体３を挾持する挾持力も弱くなる。
磁性体４Ａ及び被磁着体６Ｂ間の距離が短くなる方に変更されれば、磁性体４Ａが被磁着体６Ｂを磁着する磁着力が強くなり、記録媒体３を挾持する挾持力も強くなる。
【００４１】
実施の形態３に示した本発明に係る挾持装置は、磁性体４Ａ及び被磁着体６Ｂ間の磁着力を変更する変更手段として、取付凹部２２の内側の周面に設けられた雄ねじ部２３と、貫通孔４１の周面に設けられ、雄ねじ部２３に螺合した雌ねじ部４０とを有する接離部７を備え、雄ねじ部２３と雌ねじ部４０との螺合位置を変更することにより、磁性体４Ａがターンテーブル２Ａに対して接離し、磁性体４Ａ及び被磁着体６Ｂ間の距離が変更されるようにしてあるから、磁性体４Ａとターンテーブル２Ａとを相対回転させるだけで記録媒体３を挾持する挾持力を最適にすることができる。従って、挾持力が強すぎるために記録媒体３が変形し、記録再生信号の品質が劣化するという問題を防止できる。また、挾持力が弱すぎるためにスピンドルモータ１の回転始動時又は回転停止時の加速度によりターンテーブル２Ａと記録媒体３との間に滑りが発生し、スピンドルモータ１のサーボ乱れが発生するという問題を防止できる。
【００４２】
その他の構成及び作用は、前述した実施の形態１と同様であるため、同様の構成については同じ参照符号を付し、その構成の詳細な説明及び作用の説明を省略する。
【００４３】
実施の形態４
図４は本発明に係る挾持装置の実施の形態４の構成を説明する説明図である。
【００４４】
図４において５Ａはクランパであり、クランパ５Ａの取付凹部５２に凸設された位置決めピン５５の外周面には、雄ねじ部（ねじ部）５４が設けられている。また、取付凹部５２に取付けられた被磁着体６Ｃの貫通孔６２の周面には、雄ねじ部５４に螺合した雌ねじ部（螺合部）６１が設けられている。雄ねじ部５４と雌ねじ部６１との螺合位置を変更することにより、クランパ５Ａに対して被磁着体６Ｃを接離することが可能なように構成されており、雄ねじ部５４及び雌ねじ部６１が、クランパ５Ａに対して被磁着体６Ｃを接離することが可能な接離部７０となる。なお、雄ねじ部５４と雌ねじ部６１との螺合には、所定の締め代が設けられ、スピンドルモータ１の回転始動時又は回転停止時の加速度により、クランパ５Ａと被磁着体６Ｃとが相対回転しないように構成されている。
また、被磁着体６Ｃは、凸部６０,６０,・・・を備えず、被磁着体６Ｃの磁性体４側となる一面は、平面とされている。
【００４５】
このような構成により、被磁着体６Ｃとクランパ５Ａとを相対回転させて雄ねじ部５４と雌ねじ部６１との螺合位置を変更すれば、被磁着体６Ｃがクランパ５Ａに対して接離し、磁性体４及び被磁着体６Ｃ間の距離が変更される。磁性体４及び被磁着体６Ｃ間の距離が長くなる方に変更されれば、磁性体４が被磁着体６Ｃを磁着する磁着力が弱くなり、記録媒体３を挾持する挾持力も弱くなる。
磁性体４及び被磁着体６Ｃ間の距離が短くなる方に変更されれば、磁性体４が被磁着体６Ｃを磁着する磁着力が強くなり、記録媒体３を挾持する挾持力も強くなる。
【００４６】
実施の形態４に示した本発明に係る挾持装置は、磁性体４及び被磁着体６Ｃ間の磁着力を変更する変更手段として、位置決めピン５５の外周面に設けられた雄ねじ部５４と、貫通孔６２の周面に設けられ、雄ねじ部５４に螺合した雌ねじ部６１とを有する接離部７０を備え、雄ねじ部５４と雌ねじ部６１との螺合位置を変更することにより、被磁着体６Ｃがクランパ５Ａに対して接離し、磁性体４及び被磁着体６Ｃ間の距離が変更されるようにしてあるから、被磁着体６Ｃとクランパ５Ａとを相対回転させるだけで記録媒体３を挾持する挾持力を最適にすることができる。従って、実施の形態３に示した本発明に係る挾持装置と同様に、記録媒体３を挾持する挾持力が強すぎる又は弱すぎることに起因する不具合を防止できる。
【００４７】
その他の構成及び作用は、前述した実施の形態１と同様であるため、同様の構成については同じ参照符号を付し、その構成の詳細な説明及び作用の説明を省略する。
【００４８】
以上、本発明に係る挾持装置を説明したが、本発明に係る挾持装置は、前述の構成に限定されず、種々の変形例の適用が可能である。
【００４９】
例えば、実施の形態１又は２で説明した本発明に係る挾持装置に、実施の形態３又は４で説明した本発明に係る挾持装置を組み合わせてもよい。つまり、凸部６０,６０,・・・を有する被磁着体６又は凹部６０Ａを有する被磁着体６Ａを備える挾持装置において、ターンテーブル２Ａの嵌合凸部２０に形成された取付凹部２２の内側の周面に設けられた雄ねじ部２３と、磁性体４Ａの貫通孔４１の周面に設けられ、雄ねじ部２３に螺合した雌ねじ部４０とを有する接離部７を備え、雄ねじ部２３と雌ねじ部４０との螺合位置を変更することにより、磁性体４Ａと被磁着体６との間の距離、又は磁性体４Ａと被磁着体６Ａとの間の距離を変更するようにした挾持装置としてもよい。
また、凸部６０,６０,・・・を有する被磁着体６又は凹部６０Ａを有する被磁着体６Ａを備える挾持装置において、クランパ５Ａの取付凹部５２の底面に凸設された位置決めピン５５の外周面に設けられた雄ねじ部５４と、被磁着体６又は被磁着体６Ａの貫通孔６２の周面に設けられ、雄ねじ部５４に螺合した雌ねじ部６１とを有する接離部７０を備え、雄ねじ部５４と雌ねじ部６１との螺合位置を変更することにより、磁性体４と被磁着体６との間の距離、又は磁性体４と被磁着体６Ａとの間の距離を変更するようにした挾持装置としてもよい。
【００５０】
また、実施の形態１又は２で説明した本発明に係る挾持装置に、実施の形態３で説明した本発明に係る挾持装置と、実施の形態４で説明した本発明に係る挾持装置とを組み合わせてもよい。つまり、凸部６０,６０,・・・を有する被磁着体６又は凹部６０Ａを有する被磁着体６Ａを備える挾持装置において、ターンテーブル２Ａの嵌合凸部２０に形成された取付凹部２２の内側の周面に設けられた雄ねじ部２３と、磁性体４Ａの貫通孔４１の周面に設けられ、雄ねじ部２３に螺合した雌ねじ部４０とを有する接離部７と、クランパ５Ａの取付凹部５２の底面に凸設された位置決めピン５５の外周面に設けられた雄ねじ部５４と、被磁着体６又は被磁着体６Ａの貫通孔６２の周面に設けられ、雄ねじ部５４に螺合した雌ねじ部６１とを有する接離部７０とを備え、雄ねじ部２３と雌ねじ部４０との螺合位置、又は雄ねじ部５４と雌ねじ部６１との螺合位置を変更することにより、磁性体４Ａと被磁着体６との間の距離、又は磁性体４Ａと被磁着体６Ａとの間の距離を変更するようにした挾持装置としてもよい。
なお、前記では、実施の形態１又は２で説明した本発明に係る挾持装置に、実施の形態３で説明した本発明に係る挾持装置と、実施の形態４で説明した本発明に係る挾持装置とを組み合わせたが、実施の形態３で説明した本発明に係る挾持装置と、実施の形態４で説明した本発明に係る挾持装置とを単純に組み合わせただけの挾持装置としてもよい。
【００５１】
さらに、実施の形態１又は２で説明した本発明に係る挾持装置では、凸部６０,６０,・・・の突出高さ又は凹部６０Ａの深さを変更する手段として、被磁着体６を作製する金型の凸部６０,６０,・・・の部分、又は被磁着体６Ａを作製する金型の凹部６０Ａの部分を調整できるようにしたが、凸部６０,６０,・・・の突出高さ又は凹部６０Ａの深さを変更する手段は、金型での調整に限らず、例えば切削加工により凸部６０,６０,・・・の突出高さ又は凹部６０Ａの深さを変更してもよい。
【００５２】
さらにまた、実施の形態３で説明した本発明に係る挾持装置では、ターンテーブル２Ａの取付凹部２２の内側の周面に雄ねじ部２３を設けると共に、磁性体４Ａの貫通孔４１の周面に雌ねじ部４０を設け、実施の形態４で説明した本発明に係る挾持装置では、クランパ５Ａの位置決めピン５５の外周面に雄ねじ部５４を設けると共に、被磁着体６Ｃの貫通孔６２の周面に雌ねじ部６１を設けたが、雄ねじ部２３,５４と雌ねじ部４０,６１とを入れ替えてもよい。つまり、雄ねじ部２３を磁性体４Ａ側に設けると共に、雌ねじ部４０をターンテーブル２Ａ側に設けてもよく、また、雄ねじ部５４を被磁着体６Ｃ側に設けると共に、雌ねじ部６１をクランパ５Ａ側に設けてもよい。
【００５３】
また、実施の形態３で説明した本発明に係る挾持装置では、ターンテーブル２Ａに対して磁性体４Ａを接離することが可能な接離部７の構成として、ターンテーブル２Ａの取付凹部２２の内側の周面に設けられた雄ねじ部２３と、磁性体４Ａの貫通孔４１の周面に設けられ、雄ねじ部２３に螺合した雌ねじ部４０と備え、また、実施の形態４で説明した本発明に係る挾持装置では、クランパ５Ａに対して被磁着体６Ｃを接離することが可能な接離部７０の構成として、クランパ５Ａの位置決めピン５５の外周面に設けられた雄ねじ部５４と、被磁着体６Ｃの貫通孔６２に形成され、雄ねじ部５４に螺合した雌ねじ部６１とを備えたが、磁性体４Ａ又は被磁着体６Ｃを接離する接離部７,７０の構成は、雄ねじ部２３,５４と雌ねじ部４０,６１との螺合に限らない。例えば、取付凹部２２と磁性体４Ａとの取付け、又は取付凹部５２と被磁着体６Ｃとの取付けを圧入とし、圧入位置を変更するように構成してもよい。
【００５４】
さらに、以上の実施の形態では、磁性体４,４Ａをターンテーブル２,２Ａに設け、被磁着体６,６Ａ,６Ｂ,６Ｃをクランパ５,５Ａに設けたが、磁性体４,４Ａをクランパ５,５Ａに設け、被磁着体６,６Ａ,６Ｂ,６Ｃをターンテーブル２,２Ａに設けてもよい。
【００５５】
さらにまた、以上の実施の形態では、被磁着体６,６Ａ,６Ｂ,６Ｃを鉄板としたが、被磁着体６,６Ａ,６Ｂ,６Ｃは鉄板に限らず、例えば磁性体など、磁性体４,４Ａに磁着されるものであればよい。
【００５６】
また、本発明に係る挾持装置は、本発明の趣旨に逸脱しない範囲にて一部の構成を削除又は変更することも可能であり、また、円盤状をなす記録媒体を使用する記録再生機器が備えるスピンドルモータの回転軸に固着されたターンテーブルに記録媒体を固定するための挾持装置に限らず、磁性体が設けられた挾持部材と、磁性体に磁着される被磁着体が設けられた挾持部材との間に被挾持体を挾持する挾持装置であれば適用することが可能である。
【図面の簡単な説明】
【００５７】
【図１】本発明に係る挾持装置の実施の形態の構成を説明する説明図である。
【図２】本発明に係る挾持装置の実施の形態の構成を説明する説明図である。
【図３】本発明に係る挾持装置の実施の形態の構成を説明する説明図である。
【図４】本発明に係る挾持装置の実施の形態の構成を説明する説明図である。
【図５】従来の記録再生機器が備える挾持装置の構成を説明する説明図である。
【符号の説明】
【００５８】
２,２Ａ  ターンテーブル（挾持部材）
３  記録媒体（被挾持体）
４,４Ａ  磁性体
５,５Ａ  クランパ（挾持部材）
６,６Ａ,６Ｂ,６Ｃ  被磁着体
２３,５４  雄ねじ部（ねじ部）
４０,６１  雌ねじ部（螺合部）
６０  凸部
６０Ａ  凹部
７,７０  接離部
【図１】
2005093006.tif 000003
【図２】
2005093006.tif 000004
【図３】
2005093006.tif 000005
【図４】
2005093006.tif 000006
【図５】
2005093006.tif 000007